(57)【特許請求の範囲】
【請求項１】
ユーザに装着される生体センサに接続される、コンピュータを備える呼吸状況提示装置が実行する呼吸状況提示方法であって、
前記生体センサから前記ユーザの呼吸動作を表す呼吸情報を取得する過程と、
前記取得された呼吸情報に基づいて、前記ユーザの呼吸動作を検出して、当該呼吸動作の検出値が第１のメモリに記憶された呼吸動作の目標値の範囲内であるか範囲外であるかを判定する過程と、
前記呼吸動作の判定結果に基づいて、前記ユーザの呼吸状況を表すスコア値を更新する過程と、
前記呼吸動作の改善傾向をアバタの段階的な成長により表現したアバタ成長情報、および前記呼吸動作の悪化傾向を前記アバタの段階的に衰退により表したアバタ衰退情報を記憶した第２のメモリから、前記呼吸動作の判定結果および前記更新後のスコア値に対応するアバタ成長情報またはアバタ衰退情報を読み出し、前記ユーザに提示する過程と、
前記生体センサから前記ユーザの心拍情報を取得する過程と、
前記取得された心拍情報に基づいて前記ユーザの自律神経活動を表す指標値を推定し、当該推定された指標値が、記憶されている自律神経活動を表す指標値の目標値より大きい場合に、当該記憶されている指標値の目標値を前記推定された指標値に更新すると共に、前記第１のメモリに記憶されている呼吸動作の目標値を前記取得された呼吸情報から得られる呼吸動作の検出値に更新する目標値更新過程と
を具備することを特とする呼吸状況提示方法。
【請求項２】
前記スコア値を更新する過程は、前記ユーザの呼吸動作が前記目標値の範囲内であると判定されるごとにスコア値を増加させ、前記ユーザの呼吸動作が前記目標値の範囲外であると判定されるごとにスコア値を減少させ、
前記提示する過程は、前記ユーザの呼吸動作が前記目標値の範囲内であると判定された場合にはこのときの更新後のスコア値に対応するアバタ成長情報を読み出して前記ユーザに提示し、前記ユーザの呼吸動作が前記目標値の範囲外であると判定された場合にはこのときの更新後のスコア値に対応するアバタ衰退情報を読み出して前記ユーザに提示する
ことを特徴とする請求項１記載の呼吸状況提示方法。
【請求項３】
前記目標値更新過程は、前記取得された心拍情報から検出される心拍数および心拍間隔をもとに呼吸性成分およびMayer Wave成分を検出し、前記呼吸性成分を当該呼吸性成分とMayer Wave成分との和で除した値を算出して、この算出値を前記自律神経活動を表す指標値とする、
請求項１または２に記載の呼吸状況提示方法。
【請求項４】
ユーザに装着される生体センサに接続される呼吸状況提示装置であって、
前記ユーザの呼吸動作の目標値を記憶する第１のメモリと、
前記呼吸動作の改善傾向をアバタの段階的な成長により表現したアバタ成長情報、および前記呼吸動作の悪化傾向を前記アバタの段階的に衰退により表したアバタ衰退情報を記憶した第２のメモリと、
前記生体センサから前記ユーザの呼吸動作を表す呼吸情報を取得する手段と、
前記取得された呼吸情報に基づいて、前記ユーザの呼吸動作を検出して、当該呼吸動作の検出値が第１のメモリに記憶された呼吸動作の目標値の範囲内であるか範囲外であるかを判定する手段と、
前記呼吸動作の判定結果に基づいて、前記ユーザの呼吸状況を表すスコア値を更新する手段と、
前記第２のメモリから、前記呼吸動作の判定結果および前記更新後のスコア値に対応するアバタ成長情報またはアバタ衰退情報を読み出し、前記ユーザに提示する手段と、
前記生体センサから前記ユーザの心拍情報を取得する手段と、
前記取得された心拍情報に基づいて前記ユーザの自律神経活動を表す指標値を推定し、当該推定された指標値が、記憶されている自律神経活動を表す指標値の目標値より大きい場合に、当該記憶されている指標値の目標値を前記推定された指標値に更新すると共に、前記第１のメモリに記憶されている呼吸動作の目標値を前記取得された呼吸情報から得られる呼吸動作の検出値に更新する目標値更新手段と
を具備することを特徴とする呼吸状況提示装置。
【請求項５】
前記スコア値を更新する手段は、前記ユーザの呼吸動作が前記目標値の範囲内であると判定されるごとにスコア値を増加させ、前記ユーザの呼吸動作が前記目標値の範囲外であると判定されるごとにスコア値を減少させ、
前記提示する手段は、前記ユーザの呼吸動作が前記目標値の範囲内であると判定された場合にはこのときの更新後のスコア値に対応するアバタ成長情報を読み出して前記ユーザに提示し、前記ユーザの呼吸動作が前記目標値の範囲外であると判定された場合にはこのときの更新後のスコア値に対応するアバタ衰退情報を読み出して前記ユーザに提示する
ことを特徴とする請求項４記載の呼吸状況提示装置。
【請求項６】
前記目標値更新手段は、前記取得された心拍情報から検出される心拍数および心拍間隔をもとに呼吸性成分およびMayer Wave成分を検出し、前記呼吸性成分を当該呼吸性成分とMayer Wave成分との和で除した値を算出して、この算出値を前記自律神経活動を表す指標値とする、
請求項４または５に記載の呼吸状況提示装置。
【請求項７】
請求項１乃至３のいずれかに記載の呼吸状況提示方法が具備する各過程の動作を、前記呼吸状況提示装置が備えるコンピュータに実行させるプログラム。
【発明の詳細な説明】
【技術分野】
【０００１】
この発明は、ユーザの呼吸の仕方を評価してその結果をユーザに提示する呼吸状況提示方法、装置およびプログラムに関する。
【背景技術】
【０００２】
呼吸は自律神経の支配下にあり通常は無意識に制御されているが、意識的に深いゆっくりした腹式呼吸を行うとリラクゼーション効果が得られ、この効果が心拍や血圧等の心臓血管系の指標に変化をもたらすことが知られている。そして、ユーザの呼吸を整えるように誘導することにより、ユーザをリラックス状態やリフレッシュ状態に誘導する研究が種々行われている。例えば、非特許文献１に記載された研究では、ユーザの呼吸を計測し、当該計測された呼吸のパターンを視覚、聴覚または触覚により当該ユーザに提示することにより、ユーザ自身に呼吸を感じさせるようにしたものである。
【先行技術文献】
【非特許文献】
【０００３】
【非特許文献１】青山泰史等、「呼吸を介した癒しシステム"The Mind Wave"の開発と評価」、バイオフィードバック研究、２００４年  ３１巻、27-34
【発明の概要】
【発明が解決しようとする課題】
【０００４】
ところが、非特許文献１に記載された技術は、ユーザのその時々の呼吸パターンを単に当該ユーザに提示するだけに過ぎず、呼吸状況の変化、つまり呼吸方法が良くなっているのか或いは悪くなっているのかといった情報までは知らせることができない。
【０００５】
この発明は上記事情に着目してなされたもので、その目的とするところは、呼吸の状況の変化を効果的にユーザに提示できるようにした呼吸状況提示方法、装置およびプログラムを提供することにある。
【課題を解決するための手段】
【０００６】
上記目的を達成するためにこの発明の第１の態様は、ユーザに装着される生体センサからユーザの呼吸動作を表す呼吸情報を取得し、当該取得された呼吸情報に基づいて、上記ユーザの呼吸動作が予め第１のメモリに記憶された呼吸動作の目標値の範囲内であるか範囲外であるかを判定すると共に、当該呼吸動作の判定結果に基づいて上記ユーザの呼吸状況を表すスコア値を更新する。そして、上記呼吸動作の改善傾向をアバタの段階的な成長により表現したアバタ成長情報、および上記呼吸動作の悪化傾向を上記アバタの段階的に衰退により表したアバタ衰退情報を記憶した第２のメモリから、上記呼吸動作の判定結果および上記更新後のスコア値に対応するアバタ成長情報またはアバタ衰退情報を読み出し、上記ユーザに提示する。
またこの発明の第１の態様は、上記生体センサから上記ユーザの心拍情報を取得し、この取得された心拍情報に基づいて上記ユーザの自律神経活動を表す指標値を推定し、当該推定された指標値が、記憶されている自律神経活動を表す指標値の目標値より大きい場合に、当該記憶されている指標値の目標値を上記推定された指標値に更新すると共に、上記第１のメモリに記憶されている呼吸動作の目標値を上記取得された呼吸情報から得られる呼吸動作の検出値に更新するようにしたものである。
【０００７】
この発明の第２の態様は、上記スコア値を更新する際に、上記ユーザの呼吸動作が上記目標値の範囲内であると判定されるごとにスコア値を増加させ、上記ユーザの呼吸動作が上記目標値の範囲外であると判定されるごとにスコア値を減少させる。そして、上記ユーザの呼吸動作が上記目標値の範囲内であると判定された場合にはこのときの更新後のスコア値に対応するアバタ成長情報を読み出して上記ユーザに提示し、上記ユーザの呼吸動作が上記目標値の範囲外であると判定された場合にはこのときの更新後のスコア値に対応するアバタ衰退情報を読み出して上記ユーザに提示するようにしたものである。
【０００８】
この発明の第３の態様は、上記目標値を更新する際に、上記取得された心拍情報から検出される心拍数および心拍間隔をもとに呼吸性成分およびMayer Wave成分を検出し、この呼吸性成分を当該呼吸性成分とMayer Wave成分との和で除した値として、上記自律神経活動を表す指標値を算出するようにしたものである。
【発明の効果】
【０００９】
この発明の第１の態様によれば、ユーザの呼吸動作の改善傾向をアバタの段階的な成長により表現したアバタ成長情報、および呼吸動作の悪化傾向をアバタの段階的に衰退により表したアバタ衰退情報が予め記憶される。そして、ユーザの呼吸動作の判定結果によりユーザの呼吸状況を表すスコア値が更新され、この更新後のスコア値に対応するアバタ成長情報またはアバタ衰退情報が読み出されてユーザに提示される。このため、ユーザは自身の呼吸動作が好ましい動作になっているか否かをアバタの成長または衰退の段階的な変化により認識することが可能となり、これによりユーザに呼吸を意識的に好ましい状態に整えるモチベーションを持続させることが可能となる。
またこの発明の第１の実施形態によれば、ユーザの心拍情報をもとに当該ユーザの自律神経活動が推定され、その推定結果から副交感神経活動を優位な状態に導く呼吸動作が判定されて、当該判定された呼吸動作が目標値として第１のメモリに登録される。このため、呼吸動作の目標値をユーザごとに理想的な値に設定することが可能となる。また、この呼吸周期の更新処理を定期的に実行すれば、ユーザのその時々の状況に応じて常により適切な目標値を設定することが可能となる。
【００１０】
この発明の第２の態様によれば、ユーザの呼吸動作が目標値の範囲内であると判定されるごとにスコア値が増加されて、当該スコアに対応するアバタ成長情報が順次読み出されて表示され、一方呼吸動作が目標値の範囲外であると判定されるごとにスコア値が減少されて、当該スコアに対応するアバタ衰退情報が順次読み出されて表示される。このため、ユーザが好ましい呼吸動作を続けるとこの状態がアバタが徐々に成長する様として表示される。これに対しユーザが好ましくない呼吸動作を続けると、この状態がアバタが徐々に衰退する様として表示される。したがって、ユーザは自身の呼吸動作の変化をアバタの成長または衰退の変化により連続性を持って明確に認識することが可能となる。
【００１２】
すなわちこの発明によれば、呼吸状況の変化を効果的にユーザに提示できるようにした呼吸状況提示方法、装置およびプログラムを提供することができる。
【図面の簡単な説明】
【００１３】
【図１】この発明に係る呼吸状況提示装置の一実施形態である携帯端末の機能構成を示すブロック図。
【図２】図１に示した携帯端末に設けられる目標値データベースの一例を示す図。
【図３】図１に示した携帯端末に設けられるアバタ成長データベースの一例を示す図。
【図４】図１に示した携帯端末に設けられるアバタ衰退データベースの一例を示す図。
【図５】図１に示した携帯端末による処理手順と処理内容を示すフローチャート。
【図６】図５に示した処理手順のうち目標値更新処理の手順と処理内容を示すフローチャート。
【図７】アバタ成長データベースに記憶されるアバタ成長情報の一例を示す図。
【図８】アバタ衰退データベースに記憶されるアバタ衰退情報の一例を示す図。
【発明を実施するための形態】
【００１４】
以下、図面を参照してこの発明に係わる実施形態を説明する。  
［一実施形態］
（構成）
図１は、この発明に係る呼吸状況提示装置の一実施形態である携帯端末の機能構成を示すブロック図である。  
本実施形態における携帯端末は、例えばスマートフォンや携帯電話機、タブレット型端末、ウエアラブル端末等の携帯端末からなり、制御ユニット２１と、通信インタフェースユニット２２と、記憶ユニット２３と、ＬＣＤ又は有機ＥＬを用いた表示部２４を備えている。
【００１５】
通信インタフェース２２は、制御ユニットの制御の下、図示しない移動通信ネットワークを介してＷｅｂサーバまたは他の端末との間で移動通信を行う機能に加え、センサ２から送信されたセンサ情報を受信する機能を備える。センサ２と携帯端末１との間の通信手段としては、例えばBluetooth（登録商標）等の小電力データ通信規格を採用した手段が用いられる。
【００１６】
センサ２は、ウェアラブルセンサまたは環境に組み込まれたセンサからなり、ユーザの呼吸動作を表す呼吸情報および心拍情報をそれぞれ計測して、その計測結果を上記センサ情報として送信する。呼吸情報は、例えば腹部の膨張と収縮を加速度センサあるいは圧力センサにより検出することにより得られる。心拍情報は、例えば圧力センサまたは繊維センサを用いることで検出される。繊維センサは、ナノファイバ繊維の間隙に導電性高分子をコーティングして樹脂の連続層を形成することにより生体信号を検出可能としたものである（例えば、http://www.ntt.co.jp/news2014/1401/140130a.html参照）。
【００１７】
記憶ユニット２３は、記憶媒体としてＳＳＤ（Solid State Drive）を用いたもので、本実施形態を実現するために必要なデータベースとして、目標値データベース（目標値ＤＢ）２３１と、アバタ情報データベース（アバタ情報ＤＢ）２３２を備えている。
【００１８】
目標値ＤＢ２３１には、ユーザごとに設定した、呼吸周期および心拍の自律神経活動状態を表す指標に関する目標値が記憶される。ここで、心拍の自律神経活動状態を表す指標としては、例えば呼吸性成分をＨＦ、Mayer Wave成分をＬＦとするとき、ＨＦ／（ＬＦ＋ＨＦ）で表したものを用いる。図２に目標値ＤＢ２３１に記憶された目標値の一例を示す。
【００１９】
アバタ情報データベース２３２には、アバタ成長ＤＢ２３２１と、アバタ衰退ＤＢ２３２２が設けられる。アバタ成長ＤＢ２３２１には、複数のスコア値に対応付けてアバタとしての生物が成長する様を画像または動画により表したアバタ成長情報が記憶される。アバタ衰退ＤＢ２３２２には、複数のスコア値に対応付けてアバタとしての生物が衰退する様を画像または動画により表したアバタ衰退情報が記憶される。図３及び図４はそれぞれ上記アバタ成長情報及びアバタ衰退情報の一例を示すものである。
【００２０】
制御ユニット２１は、中央処理ユニット（ＣＰＵ：Central Processing Unit）を備えたもので、本実施形態を実現するために必要な制御機能として、センサ情報取得部２１１と、特徴量算出部２１２と、状態判定部２１３と、スコア決定部２１４と、アバタ提示制御部２１５と、目標値更新部２１６を有している。
【００２１】
センサ情報取得部２１１は、上記センサ２から送信される呼吸情報および心拍情報を含むセンサ情報を、通信インタフェースユニット２２を介して取り込む処理を行う。取り込んだセンサ情報は、一定時間ごとにタイムスタンプが付与された状態で図示しないバッファメモリに保存される。
【００２２】
特徴量算出部２１２は、上記バッファメモリに保存された呼吸情報および心拍情報を一定の解析区間ごとに波形解析し、これにより呼吸周期と、心拍数および心拍間隔（Ｒ−Ｒ間隔）をそれぞれ算出する処理を行う。
【００２３】
状態判定部２１３は、上記算出された呼吸周期を上記目標値ＤＢ２３１に記憶された呼吸周期の目標値と比較し、上記算出された呼吸周期が目標値の範囲内であるか範囲外であるかを判定する処理を行う。
【００２４】
スコア決定部２１４は、上記状態判定部２１３の判定結果に基づいて、上記算出された呼吸周期が目標値の範囲内であると判定されるごとに、現在のスコアに予め設定された値ｓ（ｓは任意の実数）を加算する。一方、上記算出された呼吸周期が目標値の範囲外であると判定されるごとに、現在のスコアから上記設定値ｓ（ｓは任意の実数）を減算する処理を行う。
【００２５】
アバタ提示制御部２１５は、上記状態判定部２１３の判定結果と、上記加算または減算後のスコアに基づいて、上記算出された呼吸周期が目標値の範囲内であれば、アバタ成長ＤＢ２３２１から、上記加算後のスコアに対応するアバタ成長情報を読み出す。また、上記算出された呼吸周期が目標値の範囲外であれば、アバタ衰退ＤＢ２３２２から、上記減算後のスコアに対応するアバタ衰退情報を読み出す。そして、この読み出されたアバタ成長情報またはアバタ衰退情報を表示部２４に表示させる処理を行う。
【００２６】
目標値更新部２１６は、上記特徴量算出部２１２により算出された心拍数およびＲ−Ｒ間隔から自律神経の活動指標となるＨＦ／（ＬＦ＋ＨＦ）を算出し、この算出された活動指標ＨＦ／（ＬＦ＋ＨＦ）を上記目標値ＤＢ２３１に記憶された活動指標の目標値と比較する。そして、上記算出された指標ＨＦ／（ＬＦ＋ＨＦ）が上記活動指標の目標値より大きい場合に、上記目標値ＤＢ２３１に記憶された呼吸間隔および活動指標の各目標値を、上記算出された最新の呼吸間隔および活動指標の値に更新する処理を行う。
【００２７】
（動作）
次に、以上のように構成された携帯端末１による呼吸状況提示動作を説明する。図５は制御ユニット２１によるその制御手順と制御内容を示すフローチャートである。  
なお、アバタ成長ＤＢ２３２１およびアバタ衰退ＤＢ２３２２には、予めスコア値に対応付けてアバタ成長情報およびアバタ衰退情報が記憶されているものとして説明を行う。また、目標値ＤＢ２３１には呼吸周期の目標値の初期値が事前に設定される。初期値としては、例えばユーザの性別や年齢層に応じて好ましいとされる呼吸周期が選定される。
【００２８】
センサ２では、ユーザの呼吸動作を表す呼吸情報および心拍情報がそれぞれ計測され、これらの計測された情報はセンサ情報として送信される。これに対し携帯端末１では、制御ユニット２１がステップＳ１０によりセンサ情報取得部２１１の制御の下、上記センサ２から送信されるセンサ情報を通信インタフェースユニット２２を介して受信し、図示しないバッファメモリに保存する。
【００２９】
上記センサ情報を受信すると制御ユニット２１は、特徴量算出部２１２の制御の下で以下のように特徴量の算出を行う。すなわち、任意に定めた時間長を１解析区間とし、当該解析区間ごとに先ずステップＳ１１により上記呼吸情報の波形から呼吸周期を検出する。また、ステップＳ１２により上記心拍情報の波形から心拍数と心拍間隔（Ｒ−Ｒ間隔）をそれぞれ検出する。
【００３０】
次に制御ユニット２１は、状態判定部２１３の制御の下、ステップＳ１３により目標値ＤＢ２３１から呼吸間隔の目標値を読み込み、ステップＳ１４において上記ステップＳ１１で検出された呼吸周期を上記目標値と比較する。そして、上記検出された呼吸周期が目標値の範囲内であるか範囲外であるかを判定する。例えば、いま上記検出された呼吸周期が“０．１１Hz”だったとすると、目標値ＤＢ２３１には呼吸周期の目標値として「０．１±０．０３Hz」が記憶されているため、上記検出された呼吸周期“０．１１Hz”は目標値の範囲内であると判定される。
【００３１】
上記判定結果が得られると、続いて制御ユニット２１はスコア決定部２１４によりスコアを更新したのち、アバタ提示制御部２１５の制御の下で以下のようにアバタの提示処理を行う。
【００３２】
すなわち、上記算出された呼吸周期が目標値の範囲内であると判定されると、ステップＳ１５により現在のスコアに予め設定された値ｓを加算する。そして、ステップＳ１６によりアバタ成長ＤＢ２３２１を検索して、上記加算後のスコアに対応するアバタ成長情報を読み出し、当該読み出されたアバタ成長情報をステップＳ１９により表示部２４に表示させる。
【００３３】
例えば、いま呼吸周期が目標値の範囲内であると判定され、スコアが初期値＋ｓであれば、アバタ成長ＤＢ２３２１が選択され、例えば初期値０、ｓ＝１の場合はスコアは１となるので、当該アバタ成長ＤＢ２３２１からアバタ成長情報として“Ｎｏ．１１”が読み出される。そして、この読み出されたアバタ成長情報に従い、表示部２４には例えば図７（ａ）に示すように植物の若芽を表したアバタが表示される。
【００３４】
そして、続く以降の解析区間においても呼吸周期が目標値の範囲内に入っていると、スコアに一定値ｓが順次加算される。そして、この加算後のスコアに対応するアバタ成長情報がアバタ成長ＤＢ２３２１から順次読み出され、例えば図７（ｂ），（ｃ）に示すように植物が徐々に生長してゆく様を表現したアバタが表示部２４に表示される。
【００３５】
すなわち、ユーザの呼吸動作が好ましい周期で継続的に行われていると、表示部２４にはアバタが徐々に生長する様が表示される。このアバタの成長を確認することでユーザは、好ましい呼吸法の目標達成に対するモチベーションを維持することが可能となる。
【００３６】
これに対し、上記ステップＳ１４において上記算出された呼吸周期が目標値の範囲外であると判定されると、ステップＳ１７により現在のスコアから上記一定値ｓを減算する。そして、ステップＳ１８によりアバタ衰退ＤＢ２３２２を検索して、上記減算後のスコアに対応するアバタ衰退情報を読み出し、当該読み出されたアバタ衰退情報をステップＳ１９により表示部２４に表示させる。
【００３７】
例えば、いま呼吸周期が目標値の範囲外であると判定され、スコアが“１０−ｓ”であれば、アバタ衰退ＤＢ２３２２が選択され、当該アバタ衰退ＤＢ２３２２から上記スコア“１０−ｓ”に対応するアバタ衰退情報が読み出される。そして、この読み出されたアバタ減衰情報に従い、表示部２４には例えば図８（ａ）に示すように成長が停止した植物を表すアバタが表示される。
【００３８】
そして、続く以降の解析区間においても呼吸周期が目標値の範囲外であれば、スコアが一定値ｓずつ順次減算される。そして、この減算後のスコアに対応するアバタ成長情報がアバタ衰退ＤＢ２３２２から順次読み出され、例えば図８（ｂ），（ｃ）に示すように植物が徐々に枯れていく様を表現したアバタが表示部２４に表示される。
【００３９】
すなわち、ユーザの呼吸動作が好ましいとされる呼吸周期から外れていると、表示部２４にはアバタが徐々に衰退する様が表示される。これによりユーザのアバタに対する同情を誘発させ、好ましい呼吸法を実行させるための意欲を持たせることが可能となる。
【００４０】
上記１つの解析区間における一連のアバタ提示制御が終了すると、制御ユニット２１はステップＳ２０に移行し、ここで目標値更新部２１６の制御の下で目標値の更新処理を以下のように実行する。図６はその処理手順と処理内容を示すフローチャートである。
【００４１】
すなわち、制御ユニット２１は先ずステップＳ２１で今回の解析区間が初回であるか否かを判定する。そして、初回であればステップＳ２２により、今回の解析区間において検出された呼吸周期が目標値ＤＢ２３１に記憶された呼吸周期の目標値の範囲内であるか否かを判定する。この判定の結果、検出された呼吸周期が目標値の範囲内であれば、ステップＳ２３において、今回の解析区間において上記ステップ１２により検出された心拍数とＲ−Ｒ間隔をもとに自律神経の活動指標であるＨＦ／（ＬＦ＋ＨＦ）を算出し、当該算出された活動指標ＨＦ／（ＬＦ＋ＨＦ）を目標値ＤＢ２３１に登録する。なお、ステップＳ２２において、上記検出された呼吸周期が目標値の範囲外と判定された場合には、活動指標ＨＦ／（ＬＦ＋ＨＦ）の登録は行わない。
【００４２】
一方、目標値ＤＢ２３１に活動指標ＨＦ／（ＬＦ＋ＨＦ）が登録された以降は、解析区間ごとにステップＳ２４に移行する。そして、このステップＳ２４において、当該解析区間に検出された活動指標ＨＦ／（ＬＦ＋ＨＦ）を目標値ＤＢ２３１に登録された活動指標ＨＦ／（ＬＦ＋ＨＦ）の目標値と比較する。この比較の結果、上記検出された活動指標ＨＦ／（ＬＦ＋ＨＦ）が目標値より大きければ、ステップＳ２５において目標値ＤＢ２３１に登録された活動指標を上記新たに検出された活動指標ＨＦ／（ＬＦ＋ＨＦ）に更新する。またそれと共に、目標値ＤＢ２３１に記憶されている呼吸周期の目標値を、今回の解析区間に検出された新たな呼吸周期に更新する。なお、上記ステップＳ２４による比較の結果、上記検出された活動指標ＨＦ／（ＬＦ＋ＨＦ）が目標値以下であれば、活動指標ＨＦ／（ＬＦ＋ＨＦ）および呼吸周期の目標値の更新は行わない。
【００４３】
（効果）
以上詳述したように本実施形態では、センサ２よりユーザの呼吸情報を取り込んでこの呼吸情報から呼吸周期を検出し、この検出した呼吸周期が目標値ＤＢ２３１に記憶された目標値の範囲内か否かを判定する。そして、上記検出された呼吸周期が目標値の範囲内であれば、スコアを一定値ｓ加算し、当該加算後のスコアに対応するアバタ成長情報をアバタ成長ＤＢ２３２１から読み出して表示部２４に表示する。これに対し上記検出された呼吸周期が目標値の範囲外であれば、スコアから一定値ｓ減算し、当該減算後のスコアに対応するアバタ衰退情報をアバタ衰退ＤＢ２３２２から読み出して表示部２４に表示するようにしている。
【００４４】
したがって、ユーザは自身の呼吸動作が好ましい動作になっているか否かをアバタの成長または衰退の段階的な変化により認識することが可能となり、これによりユーザに呼吸を意識的に好ましい状態に整えるモチベーションを持続させることが可能となる。
【００４５】
また、目標値更新部２１６の制御の下、心拍数とＲ−Ｒ感覚から自律神経活動指数ＨＦ／（ＬＦ＋ＨＦ）を算出し、当該算出された活動指標が目標値ＤＢ２３１に記憶されている活動指数の目標値より大きい場合には、当該目標値を上記新たに算出された活動指標に更新すると共に、目標値ＤＢ２３１に記憶されている呼吸周期の目標値を上記新たに検出された呼吸周期に更新するようにしている。
【００４６】
したがって、呼吸周期の目標値をユーザごとに理想的な値に設定することが可能となる。また、この呼吸周期の更新処理は解析区間ごとに行われるので、ユーザのその時々の状況に応じて常により適切な目標値を設定することが可能となる。
【００４７】
［他の実施形態］
前記実施形態では携帯端末１とは別に設けられたセンサ２からセンサ情報を取り込んで呼吸周期等を検出するようにしたが、センサを携帯端末内に収容してもよい。また、前記実施形態では呼吸動作に伴う腹部または胸部の膨張と収縮から呼吸情報を得るようにしたが、呼吸動作に伴う肺の音から呼吸情報を得るようにしてもよい。
【００４８】
また、アバタは植物に限らず動物や仮想上の生物を用いてもよく、またポイントや景品等のインセンティブを与えるものであってもよい。その他、アバタの変化の早さや表示画像または映像の構成等についてもどのように設定してもよい。
【００４９】
その他、呼吸状況提示装置の種類やその構成、呼吸状況提示制御の処理手順と処理内容等についても、この発明の要旨を逸脱しない範囲で種々変形して実施可能である。
【００５０】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５１】
１…携帯端末、２…センサ、２１…制御ユニット、２２…通信インタフェースユニット、２３…記憶ユニット、２４…表示部、２１１…センサ情報取得部、２１２…特徴量算出部、２１３…状態判定部、２１４…スコア決定部、２１５…アバタ提示制御部、２１６…目標値更新部、２３１…目標値データベース（目標値ＤＢ）、２３２…アバタ情報データベース、２３２１…アバタ成長データベース（アバタ成長ＤＢ）、２３２２…アバタ衰退データベース（アバタ衰退ＤＢ）。
【図１】
0006259744.tif 000002
【図２】
0006259744.tif 000003
【図３】
0006259744.tif 000004
【図４】
0006259744.tif 000005
【図５】
0006259744.tif 000006
【図６】
0006259744.tif 000007
【図７】
0006259744.tif 000008
【図８】
0006259744.tif 000009